(57)【要約】【課題】１型ページングシステムＹに異なる２型ページングシステムＺの子局ｚを接続するインターフェース装置に関し、子局ｚが待ち受け状態ではインターフェース装置が電力消費をしないこと。【解決手段】子局ｚの放送回線と親局Ｙの通話回線との間に設けられ、子局ｚのフックスイッチのオンにより動作するリレー１ＣＨと、このリレーのメーク接点１ｃｈ１を介して親局Ｙの通話回線から供給される電力に基づき動作するコンバータＤＣｆと、コンバータＤＣｆの動作によりリレー１ＣＨの動作回路を開放すると共にコンバータＤＣｆの動作保持回路を形成するホトカプラＰＣ１を接続する切換接点２ｃｈ１を有するリレー２ＣＨと、コンバータＤＣｆの出力に接続されて、子局ｚの呼出スイッチのオン動作により、親局Ｙの放送回路を形成させるためのメーク接点ｃｒを有するリレーＣＲとから構成されている。【選択図】      図１
2004229186.tif 000002
【特許請求の範囲】
【請求項１】
いずれも親局と複数の子局との間が放送回線，通話回線及びスピーカ回線で接続されるページングシステムであって、１型子局のフックスイッチのオン動作により１型親局から通話回線を通して該１型子局に電源が供給される第１のページングシステムに、２型子局のフックスイッチのオン動作により２型親局から放送回線を通して該２型子局に電源が供給される第２のページングシステムの前記２型子局を接続するためのインターフェース装置において、
前記２型子局の放送回線と前記１型親局の通話回線との間に設けられ、前記２型子局のフックスイッチのオン動作により動作するメーク接点を有する第１のリレーと、
該第１のリレーの前記メーク接点を介して前記１型親局の通話回線から供給される電力に基づき動作するＤＣ−ＤＣコンバータと、
該ＤＣ−ＤＣコンバータの動作により前記第１のリレーの動作回路を開放すると共に該ＤＣ−ＤＣコンバータの動作保持回路を形成するホトカプラを接続する切換接点を有する第２のリレーと、
前記ＤＣ−ＤＣコンバータの出力に接続されて、前記２型子局の呼出スイッチのオン動作により前記１型親局の放送回路を形成させるためのメーク接点を有する２巻線の第３のリレーとから構成されたことを特徴とするぺージングシステムにおけるインターフェース装置。
【請求項２】
前記２型子局のフックスイッチのオン動作を検出する前記第１のリレーを、ホトカプラにより構成された請求項１に記載のぺージングシステムにおけるインターフェース装置。
【請求項３】
前記１型親局の放送回路を形成する前記２巻線の第３のリレーを、１巻線のリレー，ホトカプラ及びインダクタンスとから構成された請求項１又は２に記載のぺージングシステムにおけるインターフェース装置。
【請求項４】
前記１型親局の放送回路を形成する前記２巻線の第３のリレーを、１巻線のリレー，半導体スイッチング及び複数の抵抗素子とから構成された請求項１又は２に記載のぺージングシステムにおけるインターフェース装置。
【請求項５】
前記ＤＣ−ＤＣコンバータの動作保持回路を形成するホトカプラを、メーク接点を有するリレーにより構成された請求項１，２，３又は４に記載のぺージングシステムにおけるインターフェース装置。
【請求項６】
前記１型親局の放送回線と前記２型子局の放送回線との接続回路に、トランスと前記第２のリレーのメーク接点とが挿入された請求項１，２，３，４又は５に記載のぺージングシステムにおけるインターフェース装置。
【請求項７】
前記１型親局の放送回線と前記２型子局の放送回線との接続回路に、トランスとコンデンサとが挿入された請求項１，２，３，４又は５に記載のぺージングシステムにおけるインターフェース装置。
【発明の詳細な説明】
【０００１】
【発明の属する技術分野】
本発明は、親局と複数の子局、スピーカ及び接続ケーブルで構成され、子局から他の子局へのスピーカを介しての呼出し、子局相互の通話等を行うページングシステム（インターホンシステムとも称する）において、あるページングシステムに異なるページングシステムの子局を接続するためのインターフェース装置に関するものである。
【０００２】
【従来の技術】
先ず、ページングシステムとして従来から使用されている、主なる３つのページングシステムを図６〜図８により説明する。
図６に示す例１のページングシステムＺｚは、親局Ｚと複数の子局ｚ１〜ｚｎ及びスピーカＳＰ１〜ＳＰｎで構成され、放送（呼出）回線Ａ（以下Ａ回線という），通話回線Ｂ（以下Ｂ回線という）及びスピーカ回線Ｐ（以下Ｐ回線という）により接続されている。親局Ｚは、電源回路Ｅ，放送用増幅器ＡＭＰｍ（以下放送用ＡＭＰｍという），トランスＴｍ，回線使用中を検出するリレーＡと表示ランプｌ，放送状態を検出するリレーＣＫなどから構成されている。なお、リレーのコイルに並列に使用するスパイクキラーダイオードは、図示及び説明を省略する。
【０００３】
子局ｚは、送話器Ｍ，送話増幅器ＡＭＰｓ（以下送話ＡＭＰｓという），トランスＴｓ，受話器Ｒ，誘導線輪ＩＮＤ，フックスイッチの接点ＨＳ１，ＨＳ２，放送用スイッチＣＳ（図示していないノンロック式のスイッチ）の接点ＣＳ１〜ＣＳ４，ダイオードＤ１，コンデンサＣ１などから構成されている。
次に動作を説明する。商用電源ＡＣ１００Ｖは親局Ｚに供給され、電源回路Ｅを介して−２４ＶがＡ回線から各子局ｚに供給される。待ち受け状態では、子局ｚのフックスイッチＨＳ１は開でＡ回線に電流は流れていないため、親局ＺのリレーＡは動作せず、接点ａが閉じないため、使用中表示ランプｌは点灯しない。
【０００４】
発呼側の子局ｚ１で送受器を上げると、接点ＨＳ１，ＨＳ２が閉じ、親局Ｚの（−）→リレーＡ→トランスＴｍ→端子１，２→Ａ回線→子局ｚの端子１，２→トランスＴｓ→送話ＡＭＰｓ→接点ＨＳ１閉→端子３→Ａ回線のシールド→親局Ｚの端子３→Ｇのルートで子局ｚの送話ＡＭＰｓに電源が供給される。同時に親局ＺのリレーＡが動作し、そのメーク接点ａの閉成により使用中表示ランプｌが点灯する。
【０００５】
発呼側子局ｚの送話器Ｍで送話すれば、音声信号は、送話器Ｍ→送話ＡＭＰｓ→接点ＣＳ１，ＣＳ２→誘導線輪ＩＮＤ→接点ＨＳ２，コンデンサＣ１→端子４，５を経由してＢ回線（通話回線）に出る。この時他の子局ｚｎ（被呼側）が送受器を上げれば、Ｂ回線を介して子局ｚ１，ｚｎ同士は同一端子４，５で接続されているため、他の子局ｚｎの端子４，５→接点ＨＳ２，コンデンサＣ１→誘導線輪ＩＮＤ→受話器Ｒのルートで接続され、受話器Ｒから音声が受話できる。この時受話側（被呼側）の子局ｚｎで送話器Ｍから送話すると、前述のルートで発呼側の子局ｚ１の受話器Ｒで受話ができ、両者間で相互通話ができる。
【０００６】
被呼側の子局ｚｎが送受器を上げていない時これを呼び出すには、発呼側子局ｚ１で送受器を上げた後、放送用スイッチＣＳを操作して接点ＣＳ１〜ＣＳ４を閉じると、端子４→接点ＨＳ２→誘導線輪ＩＮＤ→接点ＣＳ３→端子５により、端子４，５間に直流ループが形成され、Ｂ回線を介して親局ＺのリレーＣＫが動作し、そのメーク接点ｃｋが閉じる。子局ｚ１の送話ＡＭＰｓを出た呼出放送音声は接点ＣＳ１，ＣＳ２により、Ｂ回線（通話回線）の誘導線輪ＩＮＤからＡ回線（放送回線）のトランスＴｓ側に切り替わり、端子１，２→Ａ回線→親局Ｚの端子１，２→トランスＴｍ→接点ｃｋ（閉じている）→放送用ＡＭＰｍに入力される。放送用ＡＭＰｍで増幅された音声信号は端子７，８→Ｐ回線→全子局Ｚの端子７，８→接点ＣＳ４（呼出スイッチを操作していない子局Ｚは接点が閉じている。）→端子１０，１１を経由しスピーカＳＰから呼出放送される。
【０００７】
発呼側子局ｚ１では、呼出放送をした後、放送用スイッチＣＳを戻し、そのまま被呼側の子局ｚｎの応答を待つ。被呼側の子局ｚｎで送受器を上げれば、発呼側子局ｚ１との間でＢ回線（通話回線）を介して通話ができる。なお、呼出放送中は発呼側子局ｚ１の接点ＣＳ４が開かれ、自己の周辺のスピーカＳＰが鳴動しないようにミュート機能として働く。
以上に説明したように、例１のシステムは、Ａ回線を放送用回線とし、子局ｚの送話ＡＭＰｓへの電力供給を兼ねている。Ｂ回線は通話回線とし、子局ｚから親局Ｚ内の放送用ＡＭＰｍの起動制御を兼ねている。Ｐ回線はスピーカ回線であり、親局Ｚの放送用ＡＭＰｍの出力を子局ｚ内部のスピーカミュート回路を構成する接点ＣＳ４を介して近傍のスピーカに接続するが、Ｐ回線は本発明に直接関係はないので、以降の説明においては省略する。
【０００８】
図７に示す例２のページングシステムＹｙは、親局Ｙと複数の子局ｙ１〜ｙｎ及びスピーカＳＰ１〜ＳＰｎで構成され、図６の例１と同様にＡ回線，Ｂ回線，Ｐ回線により接続されている。親局Ｙは、電源回路Ｅ，放送用増幅器ＡＭＰｍ（以下放送用ＡＭＰｍという），トランスＴｍ，インダクタンスＬｍ，回線使用中を検知するリレーＡと表示ランプｌ，放送状態を検知するリレーＣＫなどから構成されている。
子局ｙは、送話器Ｍ，送話増幅器ＡＭＰｓ（以下送話ＡＭＰｓという），トランスＴｓ，受話器Ｒ，誘導線輪ＩＮＤ，フックスイッチの接点ＨＳ１，ＨＳ２，放送用スイッチＣＳ（図示していないノンロック式のスイッチ）の接点ＣＳ１〜ＣＳ３，コンデンサＣ２，Ｃ３，インダクタンスＬｓなどから構成されている。
【０００９】
次に動作を説明する。商用電源ＡＣ１００Ｖは親局Ｙに供給され、電源回路Ｅを介して＋２４Ｖが通話回線としてのＢ回線（通話回線）から各子局ｚに供給される。待ち受け状態では、子局ｙのフックスイッチＨＳ１，ＨＳ２が開でＢ回線に電流が流れないため、親局ＹのリレーＡは動作せず、メーク接点ａが閉じないため使用中表示ランプｌは点灯しない。
子局ｙ１で送受器を上げると接点ＨＳ１，ＨＳ２が閉じ、親局Ｙの（＋）→リレーＡ→インダクタンスＬｍ→端子４，５→Ｂ回線→子局ｙ１の端子４，５→接点ＨＳ１，ＨＳ２→インダクタンスＬｓ→送話ＡＭＰｓ→端子３，６→Ｂ回線のシールド→親局Ｙの端子６→Ｇのルートで子局ｙ１に電源が供給される。同時に親局ＹのリレーＡが動作し、そのメーク接点ａの閉成により使用中表示ランプｌが点灯する。
【００１０】
子局ｙ１の送話器Ｍからの音声信号は、送話器Ｍ→送話ＡＭＰｓ→トランスＴｓ→接点ＣＳ１，ＣＳ２→誘導線輪ＩＮＤ→コンデンサＣ２，Ｃ３→接点ＨＳ１，ＨＳ２→端子４，５を経由してＢ回線に出力される。この状態で子局ｙ１の放送用スイッチＣＳを操作すると、操作している間、接点ＣＳ１，ＣＳ２が閉じＣＳ３が開くため、親局ＹのリレーＣＫは、（＋）→リレーＣＫ→トランスＴｍ→端子１，２→Ａ回線→子局ｙ１の端子１，２→接点ＣＳ１，ＣＳ２→トランスＴｓ→端子３→Ａ回線のシールド→親局Ｙの端子３→Ｇのルートで動作し、そのメーク接点ｃｋが閉じて放送用ＡＭＰｍの入力回路が構成される。
【００１１】
従って、子局ｙ１の送話器Ｍで送話した音声は、送話ＡＭＰｓ→トランスＴｓ→接点ＣＳ１，ＣＳ２→端子１，２→Ａ回線→親局Ｙの端子１，２→トランスＴｍ→接点ｃｋ→放送用ＡＭＰｍ→端子７，８→Ｐ回線→子局ｙｎの端子７，８→接点ＣＫ３（呼出スイッチを操作していない子局）→端子１０，１１→スピーカＳＰｎのルートでスピーカから呼び出し内容が放送される。
呼出放送終了後、放送用スイッチＣＳを戻して待つ。呼ばれた子局ｙｎが送受器を上げると、フックスイッチの接点ＨＳ１，ＨＳ２が閉じ、発呼側子局ｙ１との間でＢ回線（通話回線）を介して通話ができる。
【００１２】
図８に示す例３のページングシステムＸｘは、親局Ｘと複数の子局ｘ１〜ｘｎ及びスピーカＳＰ１〜ＳＰｎで構成され、図６の例１と同様にＡ回線，Ｂ回線，Ｐ回線により接続されている。親局Ｘは、電源回路Ｅ，放送用増幅器ＡＭＰｍ，トランスＴｍ，インダクタンスＬｍ，回線使用中を検知するリレーＡと表示ランプｌ，放送状態を検知するリレーＣＫなどから構成されている。
子局ｘは、送話器Ｍ，送話増幅器ＡＭＰｓ（以下送話ＡＭＰｓという），トランスＴｓ１，Ｔｓ２，受話器Ｒ，フックスイッチの接点ＨＳ１，ＨＳ２，放送用スイッチＣＳ（図示していないノンロック式のスイッチ）の接点ＣＳ１〜ＣＳ４，コンデンサＣ４，Ｃ５などから構成されている。
【００１３】
次に動作を説明する。商用電源ＡＣ１００Ｖは親局Ｘに供給され、電源回路Ｅを介して−４８Ｖが通話回線としてのＢ回線から各子局ｘに供給される。待ち受け状態では、子局ｘのフックスイッチＨＳ１，ＨＳ２が開でＢ回線に電流が流れないため、親局ＸのリレーＡは動作せず、メーク接点ａが閉じないため使用中表示ランプｌは点灯しない。
子局ｘ１で送受器を上げると接点ＨＳ１，ＨＳ２が閉じ、親局Ｘの（−）→リレーＡ→インダクタンスＬｍ→端子４，５→Ｂ回線→子局ｘの端子４，５→接点ＨＳ１，ＨＳ２→トランスＴｓ２→送話ＡＭＰｓ→端子６→Ｂ回線のシールド→親局Ｘの端子６→Ｇのルートで子局ｘ１に電源が供給される。同時に親局ＸのリレーＡが動作し、そのメーク接点ａの閉成により使用中表示ランプｌが点灯する。
【００１４】
子局ｘ１の送話器Ｍからの音声信号は、送話器Ｍ→送話ＡＭＰｓ→トランスＴｓ１→接点ＣＳ１，ＣＳ２→トランスＴｓ２→接点ＨＳ１，ＨＳ２→端子４，５を経由してＢ回線に出力される。この状態で子局ｘ１の放送用スイッチＣＳを操作すると、操作している間、接点ＣＳ１〜ＣＳ３が閉じＣＳ４が開くため、親局ＸのリレーＣＫは、（−）→リレーＣＫ→端子１→Ａ回線→子局ｘ１の端子１→接点ＣＳ３→端子３→Ａ回線のシールド→親局Ｘの端子３→Ｇのルートで動作し、そのメーク接点ｃｋの閉成で放送用ＡＭＰｍの入力回路が構成される。
【００１５】
従って、子局ｘ１の送話器Ｍで送話した音声は、送話器Ｍ→送話ＡＭＰｓ→トランスＴｓ１→接点ＣＳ１，ＣＳ２→コンデンサＣ４，Ｃ５→端子１，２→Ａ回線→親局Ｘの端子１，２→トランスＴｍ→接点ｃｋ→放送用ＡＭＰｍ→端子７，８→Ｐ回線→子局ｘの端子７，８→接点ＣＳ４（呼出スイッチを操作していない子局）→端子１０，１１→スピーカＳＰｎのルートでスピーカから呼び出し放送される。
呼出放送終了後、放送用スイッチＣＳを戻して待つ。呼ばれた子局ｘｎが送受器を上げると、フックスイッチの接点ＨＳ１，ＨＳ２が閉じ、発呼側子局ｘ１との間でＢ回線（通話回線）を介して通話ができる。
【００１６】
前述した既設のページングシステムにおいては、子局を増設する必要が生じたとき、メーカーの都合等によりそのページングシステムに適合できる子局が供給できない場合で、その子局が例えば防爆検定合格品のように多大の開発費用を要する構造のものであるときは、ユーザーは親局・子局を含めたシステム全体を更新するか、あるいは他の類似子局（当然回線条件は合わないからそのままでは接続できない）を、それに適合したインターフェース装置との組み合わせで設置するかの選択となる。ここで増設する子局の数量が少なければ、後者の方が当然コストは安価となる。
【００１７】
このような事情に対応する従来のインターフェース装置としては、図９に示すものがある。このインターフェース装置Ｈは、前述の図８に示した例３のページングシステムＸｘに、図６に示す例１のページングシステムＺｚの子局ｚを増設するためのものである。このインターフェース装置Ｈの構成は、ＤＣ−ＤＣコンバータＤＣｈ，リレーＣＲ，トランスＴｉ，インダクタンスＬｉ，コンデンサＣ６〜Ｃ９，抵抗Ｒ６などから構成されている。なお、ＤＣ−ＤＣコンバータＤＣｈは、ＤＣ−ＤＣシリーズレギュレータでもよい。また、リレーのコイルに並列に使用するスパイクキラーダイオードは、図示及び説明を省略する。
図９において、親局Ｘと子局ｘとの関係は図８で説明の通りである。次に親局Ｘと子局ｚ及びインターフェース装置Ｈの接続動作について説明する。
【００１８】
子局ｚで送受器を上げると、インターフェース装置ＨのＤＣ−ＤＣコンバータＤＣｈの出力は、（−２４Ｖ）→トランスＴｉ→端子１，２→Ａ回線→子局ｚの端子１，２→トランスＴｓ→送話ＡＭＰｓ→接点ＨＳ１→端子３→Ａ回線のシールド→インターフェース装置Ｈの端子３→ＤＣ−ＤＣコンバータＤＣｈの出力（＋）のループで子局ｚに電源が供給される。従って、送話器Ｍからの送話音声は、送話器Ｍ→送話ＡＭＰｓ→接点ＣＳ１，ＣＳ２→誘導線輪ＩＮＤ→接点ＨＳ２，コンデンサＣ１→端子４，５のルートでＢ回線に出力され、さらにＢ回線→インターフェース装置Ｈの端子４，５→コンデンサＣ６，Ｃ７→端子４，５→Ｂ回線→親局Ｘの端子４，５のルートで子局ｘの通話回線に接続される。
【００１９】
次に、子局ｚで呼出放送するために図示していない放送用スイッチＣＳを操作すると、接点ＣＳ１〜ＣＳ３が閉じＣＳ４が開くため、インターフェース装置ＨのコンバータＤＣｈの出力（＋）→リレーＣＲの一次巻線→端子４→Ｂ回線→子局ｚの端子４→接点ＨＳ２→誘導線輪ＩＮＤ→接点ＣＳ３→端子５→Ｂ回線→インターフェース装置Ｈの端子５→リレーＣＲの二次巻線→ＤＣ−ＤＣコンバータＤＣｈの（−２４Ｖ）のルートでリレーＣＲが動作しそのメーク接点ｃｒが閉じる。この動作により、親局Ｘの（−）→リレーＣＫ→端子１→Ａ回線→インターフェース装置Ｈの端子１→接点ｃｒ→抵抗Ｒ６→端子３→Ａ回線のシールド→親局Ｘの端子３→ＧのルートでリレーＣＫが動作し、そのメーク接点ｃｋが閉じ、放送用ＡＭＰｍの入力が可能となる。
【００２０】
従って、子局ｚからの放送音声は、送話器Ｍ→送話ＡＭＰｓ→接点ＣＳ１，ＣＳ２→トランスＴｓ→端子１，２→Ａ回線→インターフェース装置Ｈの端子１，２→トランスＴｉ→コンデンサＣ８，Ｃ９→端子１，２→Ａ回線→親局Ｘの端子１，２→トランスＴｍ→接点ｃｋ→放送用ＡＭＰｍ→端子７，８→Ｐ回線→子局ｘｎの端子７，８→接点ＣＫ４→端子１０，１１→スピーカＳＰのルートで呼び出し放送される。呼出放送後に子局ｚ放送用スイッチＣＳの操作を戻せば、接点ＣＳ１〜ＣＳ４が復旧し、送話音声は放送回線（Ａ回線）から通話回線（Ｂ回線）に切り替わり、子局ｚは被呼側の子局ｘｎが送受器を上げる（フックオフ）ことにより子局ｘとの間で通話ができる。
【００２１】
【発明が解決しようとする課題】
しかしながら、前述した従来のインターフェース装置Ｈは、親局Ｘにインターフェース装置Ｈを介して子局ｚを接続する場合、常時子局ｚを監視し、子局ｚが送受器を上げるフックオフ又は放送用スイッチＣＳ等の機能スイッチを操作すると、それを検知してその情報を親局Ｘに伝えるように機能するため、子局ｚの発呼を監視するための検知機能を常時活性化しておく必要があり、親局Ｘは子局ｚが使用されていない待ち受け状態であるにもかかわらず、インターフェース装置Ｈに常時１０〜２０ｍＡ程度の電力を供給し消費しているという問題がある。
【００２２】
また、子局が待ち受け常態か使用中状態かを回線使用電力の有り無しで判別しているシステムの場合は、従来例のように親局Ｘから常時電力供給を受けているインターフェース装置Ｈでは、待ち受け状態がなくなり、真の待ち受け状態の判別ができなくなるという不合理が生じる。
本発明は、子局が待ち受け状態においてはインターフェース装置への電力供給を行わず、子局が動作状態になったときのみ、インターフェース装置及び子局に電力を供給するようにして、消費電力の削減を図るとともに、電力供給の有・無の検知による待ち受け状態の検出を可能にしたものである。
【００２３】
【課題を解決するための手段】
本発明のページングシステムにおけるインターフェース装置は、いずれも親局と複数の子局との間が放送回線，通話回線及びスピーカ回線で接続されるページングシステムであって、１型子局のフックスイッチのオン動作により１型親局から通話回線を通して該１型子局に電源が供給される第１のページングシステムに、２型子局のフックスイッチのオン動作により２型親局から放送回線を通して該２型子局に電源が供給される第２のページングシステムの前記２型子局を接続するためのインターフェース装置において、
前記２型子局の放送回線と前記１型親局の通話回線との間に設けられ、前記２型子局のフックスイッチのオン動作により動作するメーク接点を有する第１のリレーと、該第１のリレーの前記メーク接点を介して前記１型親局の通話回線から供給される電力に基づき動作するＤＣ−ＤＣコンバータと、該ＤＣ−ＤＣコンバータの動作により前記第１のリレーの動作回路を開放すると共に該ＤＣ−ＤＣコンバータの動作保持回路を形成するホトカプラを接続する切換接点を有する第２のリレーと、前記ＤＣ−ＤＣコンバータの出力に接続されて、前記２型子局の呼出スイッチのオン動作により前記１型親局の放送回路を形成させるためのメーク接点を有する２巻線の第３のリレーとから構成されたことを特徴とするものである。
【００２４】
【発明の実施の形態】
図１は、本発明によるページングシステムのインターフェース装置の一実施例を示すものであり、前述したページングシステムＹｙにページングシステムＺｚの子局ｚを接続するためのインターフェース装置Ｆを説明する。
インターフェース装置Ｆの構成は、ＤＣ−ＤＣコンバータＤＣｆ，リレーＣＲ，１ＣＨ，２ＣＨ，ホトカプラＰＣ１，トランスＴｉ，インダクタンスＬｉ，コンデンサＣ６，Ｃ７などから構成されている。このシステムにおける子局ｚを親局Ｙへ接続するインターフェース装置Ｆの動作を説明する。なお、親局Ｙと子局ｙとの接続動作は、図７で説明した通りである。
【００２５】
この実施例の基本的動作は、親局Ｙから子局ｙへの電源供給は、子局ｙが送受器を上げたときＢ回線（通話回線）を介して供給されるが、子局ｚの場合は、インターフェース装置Ｆにより電源供給回線がＡ回線（放送回線）に変換される。また親局Ｙの放送用ＡＭＰｍの起動信号は、インターフェース装置ＦによりＡ回線（放送回線）からＢ回線（通話回線）に変換される。
図１において、子局ｚで送受器を上げていないときは、親局ＹのＢ回線（通話回線）から供給される電源は、インターフェース装置Ｆのリレー１ＣＨのメーク接点１ｃｈ１及び子局ｚのフックスイッチの接点ＨＳ１で切断されている。即ち電力を消費していない。
【００２６】
子局ｚで送受器を上げフックスイッチの接点ＨＳ１，ＨＳ２を閉じると、親局Ｙの（＋２４Ｖ）→リレーＡ→インダクタンスＬｍ→端子４，５→Ｂ回線→インターフェース装置Ｆの端子４，５→インダクタンスＬｉ→リレー１ＣＨ→リレー２ＣＨのトランスファー接点２ｃｈ１→トランスＴｉ→端子１，２→Ａ回線→子局ｚの端子１，２→トランスＴｓ→ダイオードＤ１→接点ＨＳ１→端子３→Ａ回線のシールド→インターフェース装置Ｆの端子３→端子６→Ｂ回線のシールド→親局Ｙの端子６→Ｇのルートで電流が流れ、インターフェース装置Ｆのリレー１ＣＨが動作し、そのメーク接点１ｃｈ１が閉じる。
【００２７】
この接点１ｃｈ１の閉成により、ＤＣ−ＤＣコンバータＤＣｆに電源が印加され、ＤＣ−ＤＣコンバータＤＣｆの出力端子（−２４Ｖ）に電圧が出る。同時にリレー２ＣＨが動作し、その接点のトランスファー接点２ｃｈ１が切り替り、ホトカプラＰＣ１のダイオードを通して子局ｚに電流が供給されるため、ホトカプラＰＣ１がオンになると共に、リレー１ＣＨは復旧する。しかし、リレー１ＣＨの接点１ｃｈ１の開放の代わりにホトカプラＰＣ１のトランジスタのルートで、ＤＣ−ＤＣコンバータＤＣｆに電流は継続して流れる。即ち、親局Ｙの（＋２４Ｖ）→リレーＡ→インダクタンスＬｍ→端子４，５→Ｂ回線→インターフェース装置Ｆの端子４，５→インダクタンスＬｉ→ホトカプラＰＣ１のトランジスタ→ＤＣ−ＤＣコンバータＤＣｆ→ホトカプラＰＣ１のダイオード→接点２ｃｈ１→トランスＴｉ→端子１，２→Ａ回線→子局ｚの端子１，２→トランスＴｓ→送話ＡＭＰｓ→接点ＨＳ１→端子３→Ａ回線のシールド→インターフェース装置Ｆの端子３→ＤＣ−ＤＣコンバータＤＣｆ（＋）→端子６→Ｂ回線のシールド→親局Ｙの端子６→Ｇのルートで電流が流れ、子局ｚは通話状態となる。
【００２８】
子局ｚの送話音声は、送話器Ｍ→送話ＡＭＰｓ→接点ＣＳ１，ＣＳ２→誘導線輪ＩＮＤ→接点ＨＳ２，コンデンサＣ１→端子４，５→Ｂ回線→インターフェース装置Ｆの端子４，５→コンデンサＣ６，Ｃ７→端子４，５→Ｂ回線→親局Ｙの端子４，５のルートでＢ回線（通話回線）に接続される。親局ＹではリレーＡの動作により、そのメーク接点ａが閉じ使用中を表示するランプｌが点灯する。
子局ｚで図示していない放送用スイッチＣＳを操作すると、インターフェース装置ＦのＤＣ−ＤＣコンバータＤＣｆの出力端子（＋）→リレーＣＲの一次巻線→端子４→Ｂ回線→子局ｚの端子４→接点ＨＳ２→インダクタンスＩＮＤ→接点ＣＳ３→端子５→Ｂ回線→インターフェース装置Ｆの端子５→リレーＣＲの二次巻線→ＤＣ−ＤＣコンバータＤＣｆの出力端子（−２４Ｖ）のルートでインターフェース装置Ｆの検知リレーＣＲが動作し、その接点ｃｒが閉じる。
【００２９】
接点ｃｒの閉成により、親局Ｙの（＋２４Ｖ）→リレーＣＫ→トランスＴｍ→端子１，２→Ａ回線→インターフェース装置Ｆの端子１，２→リレー２ＣＨの接点２ｃｈ２，２ｃｈ３→トランスＴｉ→接点ｃｒ→端子３→Ａ回線のシールド→親局Ｙの端子３→Ｇのルートで親局ＹのリレーＣＫが動作し、その接点ｃｋが閉じ、子局ｚの呼出音声がトランスＴｍから放送用ＡＭＰｍにつながる。即ち、子局ｚの送話器Ｍ→送話ＡＭＰｓ→接点ＣＳ１，ＣＳ２→トランスＴｓ→端子１，２→Ａ回線→インターフェース装置Ｆの端子１，２→トランスＴｉ→接点２ｃｈ２，２ｃｈ３→端子１，２→Ａ回線→親局Ｙの端子１，２→トランスＴｍ→接点ｃｋ→放送用ＡＭＰｍ→端子７，８→Ｐ回線→子局ｙｎの端子７，８→接点ＣＳ４→端子１０，１１→スピーカＰＳｎのルートでスピーカＰＳから呼出放送される。
【００３０】
子局ｚで放送終了後、放送用スイッチＣＳの操作を戻すと接点ＣＳ３が開き、インターフェース装置ＦのリレーＣＲが復旧し、前述の通話状態となる。呼ばれた子局ｙｎで送受器を上げれば相互通話ができる。終話により子局ｚで送受器を掛けると接点ＨＳ１，ＨＳ２が開き、インターフェース装置ＦのＤＣ−ＤＣコンバータＤＣｆの出力端子（−２４Ｖ）−（＋）のルートが切断されると共に、ホトカプラＰＣ１のダイオードを流れる電流が無くなり、トランジスタがカットオフとなり、ＤＣ−ＤＣコンバータＤＣｆの入力に印加されていた電圧が無くなり、インターフェース装置Ｙの消費電力は無くなる。
【００３１】
従って、子局ｚが通話のためにフックスイッチを動作させたとき、親局Ｙの電源Ｅからインタフェース装置Ｆを介してＡ回線（放送回線）又はＢ回線（通話回線）に電力が供給される。しかし、通話終了後の待ち受け時には親局Ｙの電源Ｅからの電力供給は、インタフェース装置Ｆ及び子局ｚの何れに対しても停止され、電力を消費しないように構成されているものである。
【００３２】
なお、図１に示したインタフェース装置Ｆのリレー１ＣＨに換えて、ホトカプラを使用することもできる。この置換回路を図２に示す。図２（ａ）は図１の該当部分のリレー１ＣＨ，ホトカプラＰＣ１，ＤＣ−ＤＣコンバータＤＣｆを示し、図２（ｂ）に対応部分の置換回路を示してある。
即ち、図２（ａ）の場合は、子局ｚで送受器を上げると親局ＹからＢ回線を経由して供給された＋２４Ｖの電源により、電流はインダクタンスＬｉ→リレー１ＣＨ→接点２ｃｈ１経由で子局ｚに流れ、リレー１ＣＨが動作し、そのメーク接点１ｃｈを介してＤＣ−ＤＣコンバータＤＣｆに電圧が供給され、インタフェース装置Ｆが動作状態となる。
【００３３】
図２（ｂ）の置換回路は、子局ｚで送受器を上げると、親局ＹからＢ回線を経由して供給された＋２４Ｖの電源により、電流はインダクタンスＬｉ→ホトカプラＰＣ２のダイオード→抵抗Ｒ１→接点２ｃｈ１経由で子局ｚに流れ、ホトカプラＰＣ２のトランジスタがオンとなり、ＤＣ−ＤＣコンバータＤＣｆに電圧が供給され、インタフェース装置Ｆが動作状態となるよう構成されている。
【００３４】
また、図１に示したインタフェース装置Ｆの２巻線リレーＣＲに換えて、通常の１巻線リレーと他の回路素子を用いた置換回路としてもよい。図３（ａ）に図１の該当部分のリレーＣＲとＤＣ−ＤＣコンバータＤＣｆを示し、図３（ｂ）と図３（ｃ）に対応部分の置換回路を示してある。
即ち、図３（ａ）の場合は、前述した図１の説明のように、子局ｚで放送用スイッチＣＳを操作すると、インターフェース装置Ｆの端子４−５間に直流ループが形成される。このとき電流は、ＤＣ−ＤＣコンバータＤＣｆ（＋）→リレーＣＲの一次巻線→端子４→子局ｚのループ→端子５→リレーＣＲの二次巻線→ＤＣ−ＤＣコンバータＤＣｆの−２４Ｖのルートで流れ、リレーＣＲが動作する。
【００３５】
これに対して図３（ｂ）の置換回路は、１巻線リレーＣＲ１，ホトカプラＰＣ３，インダクタンスＬｊなどを用いたものである。
この回路におけるＤＣ−ＤＣコンバータＤＣｆの出力電流は、その（＋）→インダクタンスＬｊの一次コイル→端子４→子局ｚのループ→端子５→インダクタンスＬｊの二次コイル→ホトカプラＰＣ３のダイオード→−２４Ｖのルートで電流が流れ、ホトカプラＰＣ３のトランジスタがオンとなる。従って、ＤＣ−ＤＣコンバータＤＣｆ（＋）→リレーＣＲ１→ホトカプラＰＣ３のトランジスタ→ＤＣコンバータＤＣｆの−２４ＶのルートでリレーＣＲ１に電流が流れ動作する。なお、インダクタンスＬｊは、通話回路のインピーダンスを高めかつ大地から平衡を保つためのものである。また、ダイオードＤ２はリレーＣＲ１のスパイクキラーのためのダイオードである。
【００３６】
また、図３（ｃ）の置換回路は、１巻線リレーＣＲ２，トランジスタＱ，抵抗Ｒ２〜Ｒ５などを用いたものである。なお、抵抗Ｒ２，Ｒ３は回路インピダンスを高める抵抗、抵抗Ｒ４はトランジスタＱにバイアス電圧を与える抵抗、抵抗Ｒ５はトランジスタＱにバイアス電流を流す抵抗である。
この回路におけるＤＣ−ＤＣコンバータＤＣｆの出力電流は、その（＋）→抵抗Ｒ２→端子４→子局ｚのループ→端子５→抵抗Ｒ３→抵抗Ｒ４→ＤＣ−ＤＣコンバータＤＣｆの−２４Ｖのルートで電流が流れ、抵抗Ｒ４の電圧降下で発生する電圧により、抵抗Ｒ５経由でトランジスタＱのベースからエミッタに電流が流れ、トランジスタＱがオンとなり、ＤＣ−ＤＣコンバータＤＣｆ（＋）→リレーＣＲ２→トランジスタＱ→ＤＣ−ＤＣコンバータＤＣｆの−２４ＶのルートでリレーＣＲ２に電流が流れ動作する。なお、ダイオードＤ３はリレーＣＲ２のスパイクキラーのためのダイオードであり、ダイオードＤ４はトランジスタＱのＢ−Ｅ間の逆電圧防止用のダイオードである。また、図３（ｂ）（ｃ）の置換回路におけるリレーＣＲ１，ＣＲ２のメーク接点ｃｒは図示を省略してある。
【００３７】
【実施例】
図４は本発明の他の実施例を示すものであり、ページングシステムＸｘにページングシステムＺｚの子局ｚを接続するためのインターフェース装置Ｋを説明する。
インターフェース装置Ｋの構成は、ＤＣ−ＤＣコンバータＤＣｋ，リレーＣＲ，１ＣＨ，２ＣＨ，ホトカプラＰＣ１，トランスＴｉ，インダクタンスＬｉ，コンデンサＣ６〜Ｃ９，抵抗Ｒ６などから構成されているものであり、図１に示したインターフェース装置Ｆの回路構成と類似している。なお、図４のＤＣ−ＤＣコンバータＤＣｋはＤＣ−ＤＣシリーズレギュレータでもよい。また、リレーのコイルに並列に使用するスパイクキラーダイオードは、図示及び説明を省略する。このシステムにおける子局ｚを親局Ｙへ接続するインターフェース装置Ｋの動作を説明する。なお、親局Ｘと子局ｘとの接続動作は、図８で説明した通りである。
【００３８】
この実施例の基本的動作も図１に示した実施例と同様に、親局Ｘから子局ｘへの電源供給は、子局ｘが送受器を上げたときＢ回線を介して供給されるが、子局ｚの場合は、インターフェース装置Ｋにより電源供給回線がＡ回線に変換される。また親局Ｘの放送用ＡＭＰｍの起動信号は、インターフェース装置ＫによりＡ回線からＢ回線に変換される。
図４において、子局ｚで送受器を上げていないときは、親局ＸのＢ回線から供給される電源は、インターフェース装置Ｋのリレー１ＣＨのメーク接点１ｃｈ１及び子局ｚのフックスイッチの接点ＨＳ１で切断されているため流れない。即ち電力を消費していない。
【００３９】
子局ｚで送受器を上げフックスイッチの接点ＨＳ１，ＨＳ２を閉じると、親局Ｘの（−４８Ｖ）→リレーＡ→インダクタンスＬｍ→端子４，５→Ｂ回線→インターフェース装置Ｋの端子４，５→インダクタンスＬｉ→リレー１ＣＨ→リレー２ＣＨのトランスファー接点２ｃｈ→トランスＴｉ→端子１，２→Ａ回線→子局ｚの端子１，２→トランスＴｓ→送話ＡＭＰｓ→接点ＨＳ１→端子３→Ａ回線のシールド→インターフェース装置Ｋの端子３→端子６→Ｂ回線のシールド→親局Ｘの端子６→Ｇのルートで電流が流れ、インターフェース装置Ｋのリレー１ＣＨが動作し、そのメーク接点１ｃｈ１が閉じる。
【００４０】
この接点１ｃｈ１の閉成により、ＤＣ−ＤＣコンバータＤＣｋに電源が印加され、ＤＣ−ＤＣコンバータＤＣｋの出力端子（−２４Ｖ）に電圧が出る。同時にリレー２ＣＨが動作し、その接点のトランスファー接点２ｃｈが切り替り、ホトカプラＰＣ１のダイオードを通して子局ｚに電流が供給されるため、ホトカプラＰＣ１がオンになると共に、リレー１ＣＨは復旧する。しかし、リレー１ＣＨの接点１ｃｈ１の開放の代わりにホトカプラＰＣ１のトランジスタのルートで、ＤＣ−ＤＣコンバータＤＣｋに電流は継続して流れる。
【００４１】
即ち、親局Ｘの（−４８Ｖ）→リレーＡ→インダクタンスＬｍ→端子４，５→Ｂ回線→インターフェース装置Ｋの端子４，５→インダクタンスＬｉ→ホトカプラＰＣ１のトランジスタ→ＤＣ−ＤＣコンバータＤＣｋの入力、コンバータＤＣｋの出力（−２４Ｖ）→ホトカプラＰＣ１のダイオード→接点２ｃｈ→トランスＴｉ→端子１，２→Ａ回線→子局ｚの端子１，２→トランスＴｓ→送話ＡＭＰｓ→接点ＨＳ１→端子３→Ａ回線のシールド→インターフェース装置Ｋの端子３→端子６，ＤＣ−ＤＣコンバータＤＣｋの＋→Ｂ回線のシールド→親局Ｘの端子６→Ｇのルートで電流が流れ、子局ｚは通話状態となる。
【００４２】
子局ｚの送話音声は、送話器Ｍ→送話ＡＭＰｓ→接点ＣＳ１，ＣＳ２→誘導線輪ＩＮＤ→接点ＨＳ２，コンデンサＣ１→端子４，５→Ｂ回線→インターフェース装置Ｋの端子４，５→コンデンサＣ６，Ｃ７→端子４，５→Ｂ回線→親局Ｘの端子４，５のルートで通話回線に接続される。親局ＸではリレーＡの動作により、そのメーク接点ａが閉じ使用中を表示するランプｌが点灯する。
子局ｚで図示していない放送用スイッチＣＳを操作すると、インターフェース装置ＫのＤＣ−ＤＣコンバータＤＣｋの出力端子（＋）→リレーＣＲの一次巻線→端子４→Ｂ回線→子局ｚの端子４→接点ＨＳ２→インダクタンスＩＮＤ→接点ＣＳ３→端子５→Ｂ回線→インターフェース装置Ｋの端子５→リレーＣＲの二次巻線→ＤＣ−ＤＣコンバータＤＣｋの出力端子（−２４Ｖ）のルートでインターフェース装置Ｋの検知リレーＣＲが動作し、その接点ｃｒが閉じる。
【００４３】
接点ｃｒの閉成により、親局Ｘの（−４８Ｖ）→リレーＣＫ→端子１→Ａ回線→インターフェース装置Ｋの端子１→リレーＣＲのメーク接点ｃｒ→抵抗Ｒ６→端子３→Ａ回線のシールド→親局Ｘの端子３→Ｇのルートで親局ＸのリレーＣＫが動作し、そのメーク接点ｃｋが閉じ、子局ｚの送話器Ｍからの呼出音声が親局ＸのトランスＴｍから放送用ＡＭＰｍにつながる。即ち、子局ｚの送話器Ｍ→送話ＡＭＰ→接点ＣＳ１，ＣＳ２→トランスＴｓ→端子１，２→Ａ回線→インターフェース装置Ｋの端子１，２→トランスＴｉ→コンデンサＣ８，Ｃ９→端子１，２→Ａ回線→親局Ｘの端子１，２→トランスＴｍ→接点ｃｋ→放送用ＡＭＰ→端子７，８→Ｐ回線→子局ｘｎの端子７，８→接点ＣＳ４→端子１０，１１→スピーカＳＰｎのルートでスピーカＰＳから呼出放送される。
【００４４】
子局ｚで放送終了後、放送用スイッチＣＳの操作を戻すと接点ＣＳ３が開き、インターフェース装置ＫのリレーＣＲが復旧し、前述の通話状態となる。呼ばれた子局ｘで送受器を上げれば相互通話ができる。終話により子局ｚで送受器を掛けると接点ＨＳ１，ＨＳ２が開き、インターフェース装置ＫのＤＣ−ＤＣコンバータＤＣｋの出力端子（−２４Ｖ）−（＋）のルートが切断されると共に、ホトカプラＰＣ１のダイオードを流れる電流が無くなり、トランジスタがカットオフとなり、ＤＣ−ＤＣコンバータＤＣｋの入力に印加されていた電圧が無くなり、インターフェース装置Ｋの消費電力は無くなる。
【００４５】
この実施例も図１に示した最初の実施例と同様に、子局ｚが通話のためにフックスイッチを動作させたとき、親局Ｘの電源Ｅからインタフェース装置Ｋを介してＡ回線又はＢ回線に電力が供給される。しかし、通話終了後の待ち受け時には親局Ｘの電源Ｅからの電力供給は、インタフェース装置Ｋ及び子局ｚの何れに対しても停止され、電力を消費しないように構成されているものである。
【００４６】
なお、図４に示したインタフェース装置Ｋのリレー１ＣＨに換えて、ホトカプラを使用することもできる。この置換回路を図５に示す。図５（ａ）は図４の該当部分のリレー１ＣＨ，ホトカプラＰＣ１，ＤＣ−ＤＣコンバータＤＣｋを示し、図５（ｂ）に対応部分の置換回路を示してある。
即ち、図５（ａ）の場合は、子局ｚで送受器を上げると親局ＸからＢ回線を経由して供給された−４８Ｖの電源により、電流はインダクタンスＬｉ→リレー１ＣＨ→接点２ｃｈ経由で子局ｚに流れ、リレー１ＣＨが動作し、そのメーク接点１ｃｈを介してＤＣ−ＤＣコンバータＤＣｋに電圧が供給され、インタフェース装置Ｋが動作状態となる。
【００４７】
図５（ｂ）の置換回路は、子局ｚで送受器を上げると、親局ＸからＢ回線を経由して供給された−４８Ｖの電源により、電流はインダクタンスＬｉ→ホトカプラＰＣ４のダイオード→抵抗７→接点２ｃｈ経由で子局ｚに流れ、ホトカプラＰＣ４のトランジスタがオンとなり、ＤＣ−ＤＣコンバータＤＣｋに電圧が供給され、インタフェース装置Ｋが動作状態となるよう構成されている。
また、図４に示したインタフェース装置Ｋの２巻線リレーＣＲに換えて、図３（ｂ）（ｃ）に示した通常の１巻線リレーと他の回路素子を用いた置換回路を用いることもできる。
【００４８】
【発明の効果】
以上詳細に説明したように、本発明によるページングシステムのインターフェース装置によれば、子局が通話状態にある場合には親局からインターフェース装置を介して子局に電力が供給され、親局を介して他の子局との通話回路が構成されると共に、子局の放送操作状態をインターフェース装置が検知して、親局の放送回路を構成するようにしている。しかし、子局が待ち受け状態にある場合は、親局の電源回路は、インターフェース装置及び子局の何れにたいしても電力の供給が行われないものであり、消費電力の削減を図ることができる。
また、子局の待ち受け状態の検出を、親局の電力供給状態の有無により判断をすることができるため、子局の待ち受け状態の検出を容易に行うことができる効果がある。
【図面の簡単な説明】
【図１】本発明のインターフェース装置の一実施例を説明する回路図である。
【図２】本発明のインターフェース装置の一実施例の子局フックスイッチ動作を検出するリレーをホトカプラに換えた置換回路を説明する回路図である。
【図３】本発明のインターフェース装置の一実施例の子局呼出スイッチ動作を検出する２巻線リレーを１巻線リレーと他の回路素子とに換えた置換回路を説明する回路図である。
【図４】本発明のインターフェース装置の他の実施例を説明する回路図である。
【図５】本発明のインターフェース装置の他の実施例の子局フックスイッチ動作を検出するリレーをホトカプラに換えた置換回路を説明する回路図である。
【図６】既存のページングシステムの第１の例を示す回路図である。
【図７】既存のページングシステムの第２の例を示す回路図である。
【図８】既存のページングシステムの第３の例を示す回路図である。
【図９】従来のインターフェース装置の一例を説明する回路図である。
【符号の説明】
Ｚ，Ｙ，Ｘ  親局
ｚ，ｙ，ｘ  子局
ＡＭＰｍ  放送用増幅器
ＡＭＰｓ  送話用増幅器
Ｅ  電源回路
Ｔｍ，Ｔｓ，Ｔｓ１，Ｔｓ２，Ｔｉ  トランス
Ｌｍ，Ｌｓ，Ｌｉ，Ｌｊ  インダクタンス
ＩＮＤ  誘導線輪
Ｍ  送話器
Ｒ  受話器
ＳＰ  スピーカ
ＨＳ１，ＨＳ２  フックスイッチの接点
ＣＳ１〜ＣＳ４  放送用スイッチの接点
Ａ，ＣＫ，１ＣＨ，２ＣＨ，ＣＲ，ＣＲ１，ＣＲ２  リレー
ａ  リレーＡのメーク接点
ｃｋ  リレーＣＫのメーク接点
ｃｒ  リレーＣＲのメーク接点
１ｃｈ  リレー１ＣＨのメーク接点
２ｃｈ１  リレー２ＣＨのトランスファー接点
２ｃｈ２，２ｃｈ３  リレー２ＣＨのメーク接点
ｌ  ランプ
Ｈ，Ｆ，Ｋ  インターフェース装置
ＤＣｈ，ＤＣｆ，ＤＣｋ  ＤＣ−ＤＣコンバ−タ
ＰＣ１〜ＰＣ４  ホトカプラ
Ｃ１〜Ｃ９  コンデンサ
Ｒ１〜Ｒ６  抵抗
Ｑ  トランジスタ
Ｄ１〜Ｄ４  ダイオード
【図１】
2004229186.tif 000003
【図２】
2004229186.tif 000004
【図３】
2004229186.tif 000005
【図４】
2004229186.tif 000006
【図５】
2004229186.tif 000007
【図６】
2004229186.tif 000008
【図７】
2004229186.tif 000009
【図８】
2004229186.tif 000010
【図９】
2004229186.tif 000011